(57)【要約】      （修正有）【課題】電流容量を確保するためコンタクトの断面積を大きくしても、弾性変形可能なバネ性を低下させず、電気接続不良を防止することができる。【解決手段】コンタクト２０，２０′，６０，６０′が、ハウジングに保持される固定部２０ｄ，６０ｄと、固定部２０ｄ，６０ｄから一体に繋がって延びた当接部２０ｃ，６０ｃと、その当接部に繋がって片持ち支持状態で突出して接点部２０ａ，６０ａを有する弾性可変形部２０ｂ，６０ｂとからなり、当接部は表面側に平面状の接触面を有し、裏面側がハウジングに当接して支持され、弾性可変形部は二股状に形成されて、レセプタクルコネクタ１とプラグコネクタ５とを嵌合したときに、レセプタクルコンタクト２０，２０′の二股状弾性可変形部の接点部がプラグコンタクトの当接部と当接するとともに、プラグコンタクトの二股状弾性可変形部の接点部がレセプタクルコンタクトの当接部と当接して４点接触する。【選択図】図１
2009104915.tif 000002
【特許請求の範囲】
【請求項１】
レセプタクル側嵌合部を有したレセプタクルハウジング、先端に位置する接触部をレセプタクル側嵌合部内に突出させてレセプタクルハウジングに片持ち支持されて取り付けられた複数のレセプタクルコンタクトからなるレセプタクルコネクタと、
前記レセプタクル側嵌合部と嵌合するプラグ側嵌合部を有したプラグハウジング、先端に位置する接触部を前記プラグ側嵌合部内に突出させて前記プラグハウジングに片持ち支持されて取り付けられた複数のプラグコンタクトからなるプラグコネクタとから構成され、
前記プラグ側嵌合部に前記レセプタクル嵌合部を嵌合させて前記プラグコンタクトを対応する前記レセプタクルコンタクトに接続させるコネクタであって、
コンタクトが、ハウジングに保持される固定部と、前記固定部から一体に繋がって嵌合部内に延びた当接部と、前記当接部に繋がって前記嵌合部内に片持ち支持状態で突出する前記接触部とからなり、
前記当接部は、表面側に平面状の接触面を有し、裏面側が前記ハウジングに当接して支持され、
前記接触部は、二股状に形成されて、
前記レセプタクル側嵌合部と前記プラグ側嵌合部とを嵌合させて両コネクタを接続したときに、前記レセプタクルコンタクトの前記二股状の接触部が前記プラグコンタクトの前記当接部と当接するとともに、前記プラグコンタクトの前記二股状の接触部が前記レセプタクルコンタクトの前記当接部と当接して４点接触するよう構成されたことを特徴とするコネクタ。
【発明の詳細な説明】
【技術分野】
【０００１】
本発明は、レセプタクルコネクタおよびプラグコネクタのような互いに嵌合する二つのコネクタ半体から構成されるコネクタに関し、さらに詳しくは、コンタクト同士が弾性的に圧接して電気接続するコネクタに関する。
【背景技術】
【０００２】
レセプタクルコネクタとプラグコネクタとからなるコネクタにおいては、プラグコネクタのプラグハウジングに形成された嵌合空間にレセプタクルコネクタのレセプタクルハウジングに設けられたレセプタクルコンタクトを挿入嵌合させることにより、レセプタクルコンタクトとプラグコンタクトとの電気接続を行うように構成したものが多く知られている。例えば、特許文献１には、先端に接点部が隆起した弾性可変形部、当接部および固定部を有するコンタクトを備え、固定部がハウジングに一体に挿入されることでコンタクトが片持ち梁状に保持されているコネクタが開示されている。このように構成されたコネクタにおいては、互いにコネクタが嵌合されるとき、互いにコンタクトの接点部が互いのコンタクトの弾性可変形部の接触面に摺接し、その嵌合が完了したとき、互いの接点部が当接部に弾性的に圧接して、両コネクタが接触することにより電気接続することを特徴としている。
【特許文献１】実公昭５２−１２１４１号公報
【発明の開示】
【発明が解決しようとする課題】
【０００３】
一般に、コンタクトの電流容量はそのコンタクトの断面積の大きさに関連している。このため、コンタクトの幅や板厚を厚くすることによりコンタクトの断面積が大きくなるため電流容量を増大させることができる。しかしながら、コンタクトの電流容量を増大させるためコンタクトの幅や板厚を厚くすることによって影響する問題として、このコンタクトが有する弾性変形可能なバネ性が低下するという問題がある。このコンタクトのバネ性が低下すると、コンタクト同士の弾性的な接触力も低下して電気的接続強度が低下することとなってしまい、その結果として、コネクタの接続不良が発生する虞があり、接触信頼性が得られないという問題がある。また、振動や経時的変化に伴い良好な接続状態を維持できない可能性も出てくる。
【０００４】
以上のような課題に鑑みて、本発明では、電流容量を確保するためコンタクトの断面積を大きくしても、弾性変形可能なバネ性を低下させず、電気接続不良を防止することができるコネクタを提供することを目的とする。
【課題を解決するための手段】
【０００５】
前記課題を解決するために本発明に係るコネクタは、レセプタクル側嵌合部（例えば、実施形態におけるレセプタクル側空間１４）を有したレセプタクルハウジング、先端に位置する接触部（例えば、実施形態における接点部２０ａおよび弾性可変形部２０ｂ）をレセプタクル側嵌合部内に突出させてレセプタクルハウジングに片持ち支持されて取り付けられた複数のレセプタクルコンタクトからなるレセプタクルコネクタと、レセプタクル側嵌合部と嵌合するプラグ側嵌合部（例えば、実施形態における嵌合空間５４）を有したプラグハウジング、先端に位置する接触部（例えば、実施形態における接点部６０ａおよび弾性可変形部６０ｂ）をプラグ側嵌合部内に突出させてプラグハウジングに片持ち支持されて取り付けられた複数のプラグコンタクトからなるプラグコネクタとから構成され、プラグ側嵌合部にレセプタクル嵌合部を嵌合させてプラグコンタクトを対応するレセプタクルコンタクトに接続させるコネクタであって、コンタクトが、ハウジングに保持される固定部と、固定部から一体に繋がって嵌合部内に延びた当接部と、当接部に繋がって嵌合部内に片持ち支持状態で突出する接触部とからなり、当接部は、表面側に平面状の接触面を有し、裏面側が前記ハウジングに当接して支持され、接触部は、二股状に形成される。そして、レセプタクル側嵌合部とプラグ側嵌合部とを嵌合させて両コネクタを接続したときに、レセプタクルコンタクトの二股状の接触部がプラグコンタクトの当接部と当接するとともに、プラグコンタクトの二股状の接触部がレセプタクルコンタクトの当接部と当接して４点接触するよう構成される。
【発明の効果】
【０００６】
本発明に関するコネクタによれば、コンタクト（当接部）の断面積を大きくすることにより電流容量を増大させるとともに、接触部を二股にして一対となるようしてこの断面積の大きさを略二分させることにより、弾性変形可能なバネ性が低下するのを防止することができる。従って、コンタクト同士の弾性的な接触力が損なわれないため、電気的接続強度が低下することなく、コネクタの接続不良を防止することができる。即ち、電流容量を増大させることができるとともに、接触信頼性を得られることとなる。また、接触部が二股に形成され各コンタクトが対応する相手のコンタクトの幅方向に対して２点接触することにより、この幅方向の接触位置ズレに対しても接続不良が発生しづらくなり、電気的接続状態を保持するための信頼性を向上させることができる。
【発明を実施するための最良の形態】
【０００７】
以下、図面を参照して本発明の好ましい実施形態について説明する。本発明に係るコネクタの一例を図１から図７に示している。このコネクタは、レセプタクルコネクタ１と、プラグコネクタ５とから構成され、図１に示すように、レセプタクルコネクタ１がプラグコネクタ５に嵌合して両コネクタが接続されるようになっている。
【０００８】
レセプタクルコネクタ１は、図２および図３に示すように、絶縁材料製のレセプタクルハウジング１０により複数のレセプタクルコンタクト２０，２０′を保持して構成される。レセプタクルハウジング１０は全体として横長のほぼ直方体に形成され、矩形板状の基部１１と、この基部１１から矩形箱状に前方に延びて形成された側壁部１２と、基部１１から側壁部１２の内側中間において前方に延びて形成された仕切部１３とを有して一体に形成されている。これにより、基部１１の前面側には、側壁部１２および仕切部１３に囲まれるとともに前方に開口したレセプタクル側空間１４が形成される。
【０００９】
レセプタクル側空間１４内における仕切部１３に沿って位置する部分には、２列に並んで基部１１を図３において左右に貫通する貫通孔１５が形成されている。この貫通孔１５には、それぞれ長さの異なるレセプタクルコンタクト２０，２０′が後方側から圧入されて取り付けられている。
【００１０】
仕切部１３の上下面には、図３に示すように、複数のガイド溝１６がそれぞれ形成されている。貫通孔１５に圧入されたレセプタクルコンタクト２０，２０′の前部は、レセプタクル側空間１４内においてこれらガイド溝１６内に入り込んでガイドされるようになっている。また、このガイド溝１６は、レセプタクルコンタクト２０，２０′の前部がガイド溝１６の深さ方向へ弾性的に変位できるように、且つ、ガイド溝１６の側壁で阻止されることでレセプタクルハウジング１０の横方向へ弾性的に変位できないように形成されている。
【００１１】
レセプタクルコンタクト２０は、図６（Ａ）に示すように、接点部２０ａを有する一対の弾性可変形部２０ｂ、当接部２０ｃ、固定部２０ｄおよびリード部２０ｅを有してなり、弾性変形部２０ｂ、当接部２０ｃおよび固定部２０ｄが一直線状に延び、リード部２０ｅが固定部２０ｄから後方に延びさらに下方に略直角に屈曲して延びるよう一体に形成されている。一方、レセプタクルコンタクト２０′は、図６（Ｂ）に示すように、接点部２０ａ、弾性可変形部２０ｂ、当接部２０ｃおよび固定部２０ｄとは、レセプタクルコンタクト２０と同一形状であるが、固定部２０ｄから後方に延びるリード部２０ｅ′が上方に略直角に屈曲して延びるようになっている。これらレセプタクルコンタクト２０，２０′は、図３に示すように、レセプタクル側空間１４内において接点部２０ａの隆起側がそれぞれ上下反対側を向くとともに、リード部２０ｅ，２０ｅ′がともに下方に延びるようにして、固定部２０ｄが基部１１の貫通孔１５にそれぞれ圧入され取り付けられている。
【００１２】
レセプタクルコンタクト２０，２０′の弾性可変形部２０ｂは、図６（Ａ）および（Ｂ）に示すように、所定の間隔を中央において当接部２０ｃから前方に向かって二股に分岐するよう一対にして形成され、この一対の弾性可変形部２０ｂのそれぞれの先端には、上方に向かって隆起した接点部２０ａが形成されている。このようにレセプタクルコンタクト２０，２０′はそれぞれ接点部２０ａおよび弾性可変形部２０ｂを一対にして有しているため、後述するプラグコンタクト６０，６０′の当接部６０ｃに重複接触（２点接触）することができる。また、弾性可変形部２０ｂは、接点部２０ａ側から当接部２０ｃ側に向かって板厚が厚くなるよう傾斜した接触斜面２０ｆを有する。
【００１３】
レセプタクルコンタクト２０，２０′の当接部２０ｃは平板状に形成され、後述するプラグコンタクト６０，６０′の一対の接点部６０ａが接触可能なように形成されている。この当接部２０ｃが接点部６０ａとの非接触部（背面）において仕切部１３に形成されたレセプタクルコンタクト支持面部１７に当接支持されるとともに、固定部２０ｄが基部１１の貫通孔１５内に固定されることで、レセプタクルコンタクト２０，２０′が片持ち梁状に保持されることとなる。このレセプタクルコンタクト支持面部１７は、当接部２０ｃの長さとほぼ等しい範囲に亘って基部１１の内側面から前方へ延びる寸法を有している。
【００１４】
レセプタクルコンタクト２０′のリード部２０ｅ′は、図３に示すように、レセプタクルコンタクト２０のリード部２０ｅと下端部を揃えるようにして形成される。レセプタクルコンタクト２０，２０′はともに導電材料製で、そのリード部２０ｅ，２０ｅ′の下端部が基盤Ｋ１（図１参照）のスルーホールに挿入され半田付けされてレセプタクルコネクタ１が基盤Ｋ１に取り付けられるようになっている。
【００１５】
プラグコネクタ５は、図４および図５に示すように、絶縁材料性のプラグハウジング５０により複数のプラグコネクタ６０，６０′を保持して構成される。プラグハウジング５０は全体として横長のほぼ直方体に形成され、矩形板状の基部５１と、この基部５１から矩形箱状に前方に延びて形成された側壁部５２とを有して一体に形成されている。これにより、基部５１の前面側には、側壁部５２により囲まれるとともに前方に開口した嵌合空間５４が形成される。
【００１６】
基部５１において嵌合空間５４内に位置する部分には、長手方向に延びる２列の貫通孔５５が基部５１を図５において左右に貫通して形成されている。この貫通孔５５には、それぞれ長さの異なるプラグコンタクト６０，６０′が下面側から圧入されて取り付けられている。
【００１７】
側壁部５２の内側面には、図５に示すように、複数のガイド溝５６が形成されている。貫通孔５５に圧入されたプラグコンタクト６０，６０′の前部は、嵌合空間５４内においてこれらガイド溝５６内に入り込んでガイドされるようになっている。また、このガイド溝５６は、プラグコンタクト６０，６０′の前部が、ガイド溝５６の深さ方向へ弾性的に変位できるように、且つ、ガイド溝５６の側壁で阻止されることでプラグハウジング５０の横方向へ弾性的に変位できないように形成されている。
【００１８】
プラグコンタクト６０は、図６（Ｂ）に示すように、接点部６０ａを有する一対の弾性可変形部６０ｂ、当接部６０ｃ、固定部６０ｄおよびリード部６０ｅを有してなり、弾性可変形部６０ｂ、当接部６０ｃおよび固定部６０ｄが一直線状に延び、リード部６０ｅが固定部６０ｄから後方に延びさらに上方に略直角に屈曲して延びるよう一体に形成されている。一方、プラグコンタクト６０′は、図６（Ａ）に示すように、接点部６０ａ、弾性可変形部６０ｂ、当接部６０ｃおよび固定部６０ｄとは、プラグコンタクト６０と同一形状であるが、固定部６０ｄから後方に延びるリード部６０ｅ′が下方に略直角に屈曲して延びるようになっている。これらプラグコンタクト６０，６０′は、図５に示すように、嵌合空間５４内において接点部６０ａの隆起側がそれぞれ上下反対側を向くとともに、リード部６０ｅ，６０ｅ′がともに下方に延びるようにして、固定部６０ｄが基部１１の貫通孔５５にそれぞれ圧入され取り付けられている。
【００１９】
プラグコンタクト６０，６０′の弾性可変形部６０ｂは、図６（Ａ）および（Ｂ）に示すように、所定の間隔を中央において当接部６０ｃから前方に向かって二股に分岐するよう一対にして形成され、この一対の弾性可変形部６０ｂのそれぞれの先端には、上方に向かって隆起した接点部６０ａが形成されている。このようにプラグコンタクト６０，６０′はそれぞれ接点部６０ａおよび弾性可変形部６０ｂを一対にして有しているため、レセプタクルコンタクト２０，２０′の当接部２０ｃに２点接触することができる。また、弾性可変形部６０ｂは、接点部６０ａ側から当接部６０ｃ側に向かって板厚が厚くなるよう傾斜した接触斜面６０ｆを有する。
【００２０】
プラグコンタクト６０，６０′の当接部６０ｃは平板状に形成され、レセプタクルコンタクト２０，２０′の一対の接点部２０ａが接触可能なように形成されている。この当接部６０ｃが接点部２０ａとの非接触部（背面）において側壁部５２に形成されたプラグコンタクト支持面部５７に当接支持されるとともに、固定部６０ｄが基部５１の貫通孔５５内に固定されることで、プラグコンタクト６０，６０′が片持ち梁状に保持されることとなる。このプラグコンタクト支持面部５７は、当接部６０ｃの長さとほぼ等しい範囲に亘って基部５１の内側面から前方へ延びる寸法を有している。
【００２１】
プラグコンタクト６０′のリード部６０ｅ′は、図５に示すように、プラグコンタクト６０のリード部６０ｅと下端部を揃えるようにして形成される。プラグコンタクト６０，６０′はともに導電材料製で、そのリード部６０ｅ，６０ｅ′の下端部が基盤Ｋ５（図１参照）のスルーホールに挿入されて半田付けされる。
【００２２】
このような構成のレセプタクルコネクタ１とプラグコネクタ５とが図１に示すように、レセプタクルコネクタ１の側壁部１２をプラグコネクタ５の嵌合空間５４内に入り込ませて嵌合接合される。その結果、レセプタクルコンタクト２０，２０′が対応するプラグコンタクト６０，６０′とそれぞれ接触して電気接続される。もとより、この接続状態におけるレセプタクルコンタクト２０，２０′とプラグコンタクト６０，６０′とを離反させることができる。
【００２３】
次に、レセプタクルコンタクト２０，２０′とプラグコンタクト６０，６０′とが接触するまでのそれぞれの挙動について図７（Ａ）〜（Ｄ）を用いて説明する。
【００２４】
レセプタクルコネクタ１の側壁部１２をプラグコネクタ５の嵌合空間５４内に嵌合させていくと、先ず、図７（Ａ）および（Ｂ）に示すように、レセプタクルコンタクト２０の一対の接点部２０ａとプラグコンタクト６０の一対の接点部６０ａとが相対的に摺接しながら移動して互いを乗り越える。
【００２５】
次いで、図７（Ｃ）に示すように、レセプタクルコンタクト２０の一対の接点部２０ａがプラグコンタクト６０の接触斜面６０ｆに、且つ、プラグコンタクト６０の一対の接点部６０ａがレセプタクルコンタクト２０の接触斜面２０ｆに沿って相対的に摺接しながら移動し、その移動に伴って弾性可変形部２０ｂ，６０ｂがそれぞれの弾性力に抗してガイド溝１６，５６の底面（凹面）側へ反るようにして変位する。このとき接触斜面２０ｆ，６０ｆの存在により、当接部２０ｃ，６０ｃに負荷（応力）が集中してこれらの部位が変形することがない。
【００２６】
そして、図７（Ｄ）に示すように、レセプタクルコンタクト２０の一対の接点部２０ａが、プラグコンタクト支持面部１７で固定的に支持されるプラグコンタクト６０の当接部６０ｃに、且つ、プラグコンタクト６０の一対の接点部６０ａが、レセプタクルコンタクト支持面部５７で固定的に支持されるレセプタクルコンタクト２０の当接部２０ｃに乗り上げて弾性的に圧接するに至る。このとき、電流容量を増大させるため各コンタクト２０，２０′，６０，６０′のコンタクト幅（当接部の幅）を厚くして断面積を大きくしても、接点部を有する弾性可変形部を二股にして一対に形成することにより、一対それぞれの弾性可変形部の幅は当接部の幅に対して略半分の大きさに抑えることができるため、弾性変形可能なバネ性が損なわれてコンタクト同士の接続強度が低下することがない。
【００２７】
このようにして、レセプタクルコンタクト２０の一対の接点部２０ａが対応するプラグコンタクト６０の当接部２０ｃと接触し、且つ、プラグコンタクト６０の一対の接点部６０ａが対応するレセプタクルコンタクト２０の当接部２０ｃと接触することによりそれぞれ電気接続されることとなる。このとき、接点部２０ａ，６０ａは、それぞれ当接部２０ｃ，６０ｃから分岐して二股となるよう一対にして形成されているため、一対の接点部２０ａが当接部６０ｃに圧接することにより２点接触され、且つ、一対の接点部６０ａが当接部２０ｃに圧接することにより２点接触される。従って、レセプタクルコンタクト２０とプラグコンタクト６０とが４点接触して電気接続されることとなる。
【００２８】
また、レセプタクルコンタクト２０′およびプラグコンタクト６０′についても、上述と同様にして、レセプタクルコンタクト２０′の一対の接点部２０ａが対応するプラグコンタクト６０′の当接部２０ｃと２点接触し、且つ、プラグコンタクト６０′の一対の接点部６０ａが対応するレセプタクルコンタクト２０′の当接部２０ｃと２点接触することにより、合わせて４点接触して電気接続されることとなる。
【００２９】
以上のように構成されたコネクタ、すなわち、レセプタクルコネクタ１およびプラグコネクタ５によれば、電流容量を増大させるためコンタクトの断面積を大きくしても（コンタクト幅を厚くしても）、弾性可変形部の幅を厚くしないよう接点部および弾性可変形部を一対に形成して４点接触させることにより、弾性変形可能なバネ性が低下することなく良好な接続状態を維持でき、コネクタの接続不良が発生するのを防止することできる。
【図面の簡単な説明】
【００３０】
【図１】本発明の一実施形態に係るコネクタを示しており、レセプタクルコネクタとプラグコネクタとを嵌合させた状態を示す側面断面図である。
【図２】（Ａ）は、上記コネクタを構成するレセプタクルコネクタの平面図を示し、（Ｂ）は、正面図を示す。
【図３】上記コネクタを構成するレセプタクルコネクタの図２（Ｂ）における矢印ＩＩＩ方向から視た側面断面図ある。
【図４】（Ａ）は、上記コネクタを構成するプラグコネクタの平面図を示し、（Ｂ）は、正面図を示す。
【図５】上記コネクタを構成するプラグコネクタの図４（Ｂ）における矢印ＩＶ方向から視た側面断面図である。
【図６】（Ａ）および（Ｂ）は、上記コネクタを構成するレセプタクルコネクタのレセプタクルコンタクトとプラグコネクタのプラグコンタクトとを示す斜視図である。
【図７】（Ａ）〜（Ｄ）は、上記コネクタを構成するレセプタクルコネクタとプラグコネクタとが嵌合するまでのコンタクトの挙動を示す概略模式図である。
【符号の説明】
【００３１】
１  レセプタクルコネクタ
５  プラグコネクタ
１０  レセプタクルハウジング
１４  レセプタクル側空間（レセプタクル側嵌合部）
２０，２０′  レセプタクルコンタクト
２０ａ，６０ａ  接点部（接触部）
２０ｂ，６０ｂ  弾性可変形部（接触部）
２０ｃ，６０ｃ  当接部
２０ｄ，６０ｄ  固定部
２０ｅ，６０ｅ  リード部
５０  プラグハウジング
５４  嵌合空間（プラグ側嵌合部）
６０，６０′  プラグコンタクト
【図１】
2009104915.tif 000003
【図２】
2009104915.tif 000004
【図３】
2009104915.tif 000005
【図４】
2009104915.tif 000006
【図５】
2009104915.tif 000007
【図６】
2009104915.tif 000008
【図７】
2009104915.tif 000009